(57)【要約】【課題】長期間に渡り固定対象物に固着することを可能とし、容易にもぎ取ることができないスタンド付端末装置を提供する。【解決手段】スタンド付端末装置１０ａは、スタンド取付板１２ｇを有するスタンド取付板付端末装置１０１、１０２と、スタンド取付板１２ｇに結合されるスタンド６０とを備え、スタンド６０は、吸盤ホルダ６０ａと、吸盤ホルダ６０ａに固着され、スタンド取付板１２ｇと連結するための端末取付板６０ｃと、吸盤ホルダ６０ａの内部で変形可能な吸盤６０ｇと、吸盤６０ｇを吸盤ホルダ６０ａの内部に引き込み、吸盤６０ｇと固定対象物７０との間に真空の空間を形成するか否かを制御するためのレバー６０ｍとを具備する。【選択図】図１
2014099068.tif 000002
【特許請求の範囲】
【請求項１】
スタンド取付板を有するスタンド取付板付端末装置と、前記スタンド取付板に結合されるスタンドとを備え、
前記スタンドは、
吸盤ホルダと、
前記吸盤ホルダに固着され、前記スタンド取付板と連結するための端末取付板と、
前記吸盤ホルダの内部で変形可能な吸盤と、
前記吸盤を前記吸盤ホルダの内部に引き込み、該吸盤と固定対象物との間に真空の空間を形成するか否かを制御するためのレバーとを具備する、
スタンド付端末装置。
【請求項２】
前記レバーに配される底部と先端とを含む突起と、
前記突起を回動可能とするレバー回転軸と、
前記レバー回転軸と前記吸盤の中心部とを連結する引き棒とを有し、
前記レバーの前記先端と前記吸盤ホルダとが接触するときに吸盤の中心部を固定対象物から遠くし該吸盤と該固定対象物との間に真空の空間を形成し、
前記レバーの前記底部と前記吸盤ホルダとが接触するときに吸盤の中心部を固定対象物に近くし該吸盤と該固定対象物との間に真空の空間を形成しない請求項１に記載のスタンド付端末装置。
【請求項３】
前記引き棒と前記吸盤ホルダとの間に配され、該引き棒に付勢する圧縮コイルバネを有する請求項２に記載のスタンド付端末装置。
【請求項４】
前記端末取付板は、前記スタンド取付板の２つの面の各々に接触する２つの面を有し、
前記端末取付板の前記２つの面の各々にはセレーションが形成され、
前記スタンド取付板の前記スタンド取付板と接する一方の面にのみセレーションが形成される請求項１ないし請求項３のいずれかの１項に記載のスタンド付端末装置。
【請求項５】
前記吸盤ホルダに前記レバーがビスによって固着される請求項１ないし請求項４のいずれかの１項に記載のスタンド付端末装置。
【請求項６】
前記スタンド取付板付端末装置は、
アンドロイドを実行するマイクロプロセッサと、
前記マイクロプロセッサに接続されるディスプレイと、
前記マイクロプロセッサを内蔵し、前記ディスプレイの画像表示面が視認可能となるように該ディスプレイを保持する筐体と、
前記マイクロプロセッサに接続され前記筐体の外部に引き出される入出力信号線とを有する請求項１ないし請求項５のいずれかの１項に記載のスタンド付端末装置。
【請求項７】
吸盤ホルダと、
前記吸盤ホルダに固着され、端末装置と連結するための端末取付板と、
前記吸盤ホルダの内部で変形可能な吸盤と、
前記吸盤を前記吸盤ホルダの内部に引き込み、該吸盤と固定対象物との間に真空の空間を形成するか否かを制御するためのレバーとを備える端末装置用スタンド。
【請求項８】
前記レバーに配される底部と先端とを含む突起と、
前記突起を回動可能とするレバー回転軸と、
前記レバー回転軸と前記吸盤の中心部とを連結する引き棒とを有し、
前記レバーの前記先端と前記吸盤ホルダとが接触するときに吸盤の中心部を固定対象物から遠くし該吸盤と該固定対象物との間に真空の空間を形成し、
前記レバーの前記底部と前記吸盤ホルダとが接触するときに吸盤の中心部を固定対象物に近くし該吸盤と該固定対象物との間に真空の空間を形成しない請求項７に記載の端末装置用スタンド。
【発明の詳細な説明】
【技術分野】
【０００１】
本発明は、スタンド付端末装置および端末装置用スタンドに関する。
【背景技術】
【０００２】
一般的な産業機器は、マンマシーンインターフェイス（man machine interface）を有している。マンマシーンインターフェイスとは、人間と機器との間で情報のやりとりを行う際に情報伝達の仲介を行う手段をいう。ここで、マンマシーンインターフェイスが産業機器に一体に組み込まれている場合と、マンマシーンインターフェイスのみを産業機器の本体から分離して設ける場合がある。この産業機器の本体から分離されたマンマシーンインターフェイスは端末装置と称される。
【０００３】
端末装置を産業機器の本体から分離することによって、人間が使いやすい位置に端末を配置することが可能となる。また、産業機器の本体に手を加えることなく技術の進歩に応じて端末装置のみをより人間に親しみやすいものに進化させることも可能となる。特に、近年の集積回路技術、マイクロプロセッサの技術進歩が端末装置にも及び、端末装置の機能は年々高機能化することができることから、端末装置を本体から分離する傾向が加速している。
【０００４】
別の技術として、カメラ付きの携帯電話やデジタルカメラにおけるワイド又はアップでの撮影を可能にするカメラ用コンバージョンレンズ装置に関する技術が公開されている（特許文献１を参照）。特許文献１の図１０に記載のコンバージョンレンズ装置は、コンバージョンレンズと、レンズ保持装置とで構成されており、レンズ保持装置のカメラ側に、複数の小型の吸盤を設けることが記載されている。
【先行技術文献】
【特許文献】
【０００５】
【特許文献１】実用新案登録第３０９９６１５号公報
【発明の概要】
【発明が解決しようとする課題】
【０００６】
本体から分離された端末装置と産業機器との間における情報のやりとりは、ケーブル、無線を使って行われる。一方、物理的に分離された端末装置は、産業機器または固定物（固定対象物と以下称する）に固着しておかないと操作し難い。よって、端末装置を固定対象物に固着する簡易かつ確実な方法が求められている。ここで、特許文献１に記載されたように複数の小型の吸盤を用いて端末装置を固定対象物に固着することも考えられるが、大きな吸引力を得ることができず、固定対象物から端末装置が脱落するおそれがあり長期的な固着には不適切である。また、公共の場で端末装置を用いる場合には固定対象物から端末装置をもぎ取り盗まれるおそれもある。
【０００７】
本発明は、このような点に鑑みなされたものであり、長期間に渡り固定対象物に固着することを可能とし、容易にもぎ取ることができないスタンド付端末装置および端末装置用スタンドを提供する。
【課題を解決するための手段】
【０００８】
本発明のスタンド付端末装置は、スタンド取付板を有するスタンド取付板付端末装置と、前記スタンド取付板に結合されるスタンドとを備え、前記スタンドは、吸盤ホルダと、前記吸盤ホルダに固着され、前記スタンド取付板と連結するための端末取付板と、前記吸盤ホルダの内部で変形可能な吸盤と、前記吸盤を前記吸盤ホルダの内部に引き込み、該吸盤と固定対象物との間に真空の空間を形成するか否かを制御するためのレバーとを具備する。
【０００９】
本発明の端末装置用スタンドは、吸盤ホルダと、前記吸盤ホルダに固着され、端末装置と連結するための端末取付板と、前記吸盤ホルダの内部で変形可能な吸盤と、前記吸盤を前記吸盤ホルダの内部に引き込み、該吸盤と固定対象物との間に真空の空間を形成するか否かを制御するためのレバーとを備える。
【発明の効果】
【００１０】
本発明によれば、長期間に渡り固定対象物に固着することを可能とし、容易にもぎ取ることができないスタンド付端末装置および端末装置用スタンドを提供できる。
【図面の簡単な説明】
【００１１】
【図１】第１の実施形態のスタンド付端末装置の分解図である。
【図２】第１の実施形態のスタンド付端末装置を固定対象物に取付前の斜視図である。
【図３】第１の実施形態のスタンド付端末装置を固定対象物に取付後の斜視図である。
【図４】第２の実施形態のスタンド付端末装置を固定対象物に取付前の斜視図である。
【図５】第２の実施形態のスタンド付端末装置を固定対象物に取付前の断面図である。
【図６】第２の実施形態のスタンド付端末装置を固定対象物に取付後の斜視図である。
【図７】第２の実施形態のスタンド付端末装置を固定対象物に取付後の断面図である。
【図８】スタンド取付板付端末装置のスタンド取付板のセレーションとスタンドの端末取付板のセレーションとを示す図である。
【図９】第２の実施形態のスタンド付端末装置を固定対象物に下向きに取付後の断面図である。
【図１０】スタンド付端末装置の内部に配される回路部のブロック図である。
【発明を実施するための形態】
【００１２】
実施形態のスタンド付端末装置は、スタンド取付板を有するスタンド取付板付端末装置と、スタンド取付板に結合されるスタンドとを備え、スタンドは、吸盤ホルダと、吸盤ホルダに固着され、スタンド取付板と連結するための端末取付板と、吸盤ホルダの内部で変形可能な吸盤と、吸盤を吸盤ホルダの内部に引き込み、該吸盤と固定対象物との間に真空の空間を形成するか否かを制御するためのレバーとを具備する。
【００１３】
実施形態の端末装置用スタンドは、吸盤ホルダと、吸盤ホルダに固着され、端末装置と連結するための端末取付板と、吸盤ホルダの内部で変形可能な吸盤と、吸盤を吸盤ホルダの内部に引き込み、該吸盤と固定対象物との間に真空の空間を形成するか否かを制御するためのレバーとを備える。
【００１４】
以下、図面を参照してより詳しく実施形態の説明をする。
【００１５】
（第１の実施形態のスタンド付端末装置）
図１ないし図３は、第１の実施形態のスタンド付端末装置を示す図である。図１ないし図３を参照して以下、説明をする。
【００１６】
図１は、第１の実施形態のスタンド付端末装置１０ａの分解図である。
【００１７】
図１に示す第１の実施形態の端末装置であるスタンド付端末装置（スタンドを具備する端末装置）１０ａは、スタンド取付板１２ｇを有するスタンド取付板付端末装置１０１とスタンド６０とを備える。
【００１８】
図１に示すスタンド取付板付端末装置１０１は、スタンド取付板１２ｇを有する。スタンド取付板１２ｇは、スタンド取付板付端末装置１０１をスタンド６０に取付るための部材である。
【００１９】
図１に示すスタンド６０は、吸盤ホルダ６０ａ、引き棒格納部６０ｂ、端末取付板６０ｃ、レバー取付部６０ｄ、引き棒６０ｅ、圧縮コイルバネ６０ｆ、吸盤６０ｇ、回転軸ボルト６０ｉ、回転軸ナット６０ｊ、レバー回転軸６０ｋ、レバー６０ｍ、レバービス６０ｎを有している。圧縮コイルバネ６０ｆは金属であり、それ以外は、プラスチック材料である。回転軸ボルト６０ｉ、回転軸ナット６０ｊ、レバー回転軸６０ｋ、レバービス６０ｎを金属としてもよく、材料の選択はこれに限られない。また、吸盤ホルダ６０ａ、引き棒格納部６０ｂ、端末取付板６０ｃ、レバー取付部６０ｄは一体成型品としてもよい。吸盤６０ｇは、変形する材料であり、ゴム材であってもよい。
【００２０】
吸盤ホルダ６０ａは、引き棒格納部６０ｂ、端末取付板６０ｃ、レバー取付部６０ｄを取付る基台となる部分である。引き棒格納部６０ｂには引き棒６０ｅと圧縮コイルバネ６０ｆとが格納される。引き棒６０ｅの先端部に吸盤６０ｇが取付られる。引き棒６０ｅの周囲に配置される圧縮コイルバネ６０ｆの作用によって、レバー６０ｍは、押し下げ、または、押し上げのいずれか一方の状態を維持するようになされている。すなわち、圧縮コイルバネ６０ｆの作用によって、レバー６０ｍの突起の底部６０ｍｔが吸盤ホルダ６０ａと接する（押し上げの状態）か、レバー６０ｍの突起の先端６０ｍｓが吸盤ホルダ６０ａと接する（押し下げの状態）かいずれかとされる。
【００２１】
端末取付板６０ｃとスタンド取付板付端末装置１０１のスタンド取付板１２ｇとは、面接触をして相互に回動する。端末取付板６０ｃとスタンド取付板１２ｇとの回動の回転軸は、回転軸ボルト６０ｉ、回転軸ナット６０ｊによって形成される。スタンド取付板１２ｇの端末取付板６０ｃと接する面には回動中心から放射状に伸びるセレーションが設けられている。また、端末取付板６０ｃのスタンド取付板１２ｇと接する面にも回動中心から放射状に伸びるセレーションが設けられている。スタンド取付板１２ｇのセレーションと端末取付板６０ｃのセレーションとは同一ピッチとされ、噛み合うようにされている。
【００２２】
回転軸ボルト６０ｉと回転軸ナット６０ｊと緩めることによって回動させ、所望の位置で回転軸ボルト６０ｉと回転軸ナット６０ｊとをきつく締ることによって、スタンド取付板付端末装置１０１とスタンド６０との相互の位置関係を固定できる。ここで、回転軸ボルト６０ｉに六角ボルト穴を配することによって強い締め付け力を確保するとともに、盗難を防止することができる。
【００２３】
レバー６０ｍの押し上げ、押し下げによってレバー回転軸６０ｋの位置が変化する。レバー６０ｍのレバービス６０ｎが配される側は人によって押し下げ、押し上げがなされるようにされており、レバー６０ｍの吸盤ホルダ６０ａと接する側には突起が設けられている。レバー回転軸６０ｋは、吸盤６０ｇとは反対の引き棒６０ｅの端に回動可能に連結されている。
【００２４】
引き棒６０ｅの周囲に配置される圧縮コイルバネ６０ｆの作用によって、引き棒６０ｅは吸盤ホルダ６０ａに対して付勢されている。レバー６０ｍは、押し下げ、または、押し上げのいずれか一方の状態を維持するようになされている。すなわち、圧縮コイルバネ６０ｆの作用によって、レバー６０ｍの突起の底部６０ｍｔが吸盤ホルダ６０ａと接するか、レバー６０ｍの突起の先端６０ｍｓが吸盤ホルダ６０ａと接するかいずれかとされる。
【００２５】
引き棒格納部６０ｂには長溝が形成され、レバー６０ｍとこの長溝とをレバー回転軸６０ｋが貫通する。スタンド６０のレバー６０ｍの押し下げによって、レバー６０ｍの突起の先端６０ｍｓが吸盤ホルダ６０ａと接触しレバー回転軸６０ｋの位置が引き棒格納部６０ｂの内部方向へ移動し、接引き棒６０ｅに連結される吸盤６０ｇの中心部が引き棒６０ｅによって引き棒格納部６０ｂの方向へ引かれ、吸盤には強い吸引力が発生する。また、スタンド６０のレバー６０ｍの押し上げによって、レバー６０ｍの突起の底部６０ｍｔが吸盤ホルダ６０ａと接触しレバー回転軸６０ｋの位置が引き棒格納部６０ｂの外部方向へ移動し、接引き棒６０ｅに連結される吸盤６０ｇの中心部が引き棒６０ｅによって引き棒格納部６０ｂとは逆の方向へ押され、吸盤には吸引力が発生しない。
【００２６】
図２は、第１の実施形態のスタンド付端末装置１０ａを固定対象物７０に取付前の斜視図である。
【００２７】
スタンド６０のレバー６０ｍは押し上げられている。スタンド６０のレバー６０ｍが押し上げられると、レバー６０ｍの突起の底部６０ｍｔが吸盤ホルダ６０ａと接し引き棒６０ｅは引き棒格納部６０ｂの内部に引込まれることはない。よって、吸盤６０ｇと、固定対象物７０との間に吸引力が働かず、スタンド６０は固定対象物７０に固着されない。固定対象物７０は、産業機器または固定物等である。また、スタンド６０が固定対象物７０に固着されている場合でも、レバー６０ｍを押し上げ、吸盤６０ｇと固定対象物７０との間の真空の空間をなくし固着を解除できる。
【００２８】
図３は、第１の実施形態のスタンド付端末装置１０ａを固定対象物７０に取付後の斜視図である。
【００２９】
図３では、スタンド６０のレバー６０ｍは押し下げられている。スタンド６０のレバー６０ｍが押し下げられると、レバー６０ｍの突起の先端６０ｍｓが吸盤ホルダ６０ａと接し引き棒６０ｅは引き棒格納部６０ｂの内部に引込まれる。よって、吸盤６０ｇと、固定対象物７０との間に吸引力が働き、スタンド６０は固定対象物７０に固着される。固定対象物７０は、産業機器または固定物等である。また、スタンド６０が固定対象物７０に固着されていない場合でも、レバー６０ｍを押し下げ、吸盤６０ｇと固定対象物７０との間の真空の空間を形成し固着できる。
【００３０】
図２、図３に示すように、スタンド６０のレバー６０ｍの押し上げ、押し下げによって、スタンド６０を固定対象物７０に容易に固着、または、固着解除できる。ここで、レバービス６０ｎの溝形状を通常のドライバー先端形状と異なるもの、例えば、六角ボルト穴とすれば、スタンド付端末装置１０ａの盗難を防止できる。さらに、回転軸ボルト６０ｉと回転軸ナット６０ｊとをネジロックすれば、スタンド付端末装置１０ａの盗難防止の効果は向上する。
【００３１】
要するに、スタンド付端末装置１０ａは、スタンド取付板１２ｇを有するスタンド取付板付端末装置１０１と、スタンド取付板１２ｇに取付ることが可能なスタンド６０を備え、スタンド６０は、吸盤ホルダ６０ａと、吸盤ホルダ６０ａの内部で変形可能な吸盤６０ｇと、吸盤６０ｇを吸盤ホルダ６０ａの内部に引き込むレバー６０ｍとを具備する。そして、レバー６０ｍを押し下げることによって吸盤と固定対象物７０との間に真空の空間を形成し、スタンド付端末装置１０ａと固定対象物７０とを固着する。また、レバー６０ｍを押し上げることによって、吸盤６０ｇと固定対象物７０との間の真空の空間をなくし固着を解除できる。
【００３２】
また、スタンド取付板付端末装置１０１におけるスタンド取付板１２ｇの位置は、上述した位置に限られず、スタンド取付板付端末装置１０１の中心部、スタンド取付板付端末装置１０１の中心部から図１ないし図３とは反対側の方向（カード４０により近い方向）のいずれの位置であってもよい。
【００３３】
また、セレーションに関しては、以下のように変形をすることもできる。スタンド取付板１２ｇの端末取付板６０ｃと接する両方の面にセレーションを設けてもよい。このようにすれば、ディスプレイ１３の方向をどちらの方向となるようにしても、スタンド取付板１２ｇのセレーションと端末取付板６０ｃのセレーションとが噛み合い、スタンド取付板１２ｇと端末取付板６０ｃとをしっかりと固着することができる。
【００３４】
また、端末取付板６０ｃのスタンド取付板１２ｇと接する両方の面にセレーションを設けてもよく、このようにすれば、ディスプレイ１３の方向をどちらの方向となるようにしても、スタンド取付板１２ｇのセレーションと端末取付板６０ｃのセレーションとが噛み合い、スタンド取付板１２ｇと端末取付板６０ｃとをしっかりと固着することができる。
【００３５】
（第２の実施形態の端末装置）
図４ないし図９は、第２の実施形態の端末装置を示す図である。図４ないし図９を参照して以下、説明をする。第１の実施形態のスタンド付端末装置１０ａにおける各部と同一部分については、同一符号を付して、説明を省略する。
【００３６】
図４ないし図９に示す第２の実施形態の端末装置であるスタンド付端末装置（スタンドを具備する端末装置）１０ｂは、スタンド取付板１２ｇを有するスタンド取付板付端末装置１０２とスタンド６０とを備える。スタンド取付板１２ｇは裏面覆蓋１２ｂと一体成型されており、裏面覆蓋１２ｂは裏面筐体枠１２ａに着脱可能とされている。裏面覆蓋１２ｂを裏面筐体枠１２ａから着脱可能することによってスタンド取付板付端末装置１０２の回路部の保守点検が可能とされている。
【００３７】
第１の実施形態のスタンド取付板付端末装置１０１と第２の実施形態のスタンド取付板付端末装置１０２との違いは、スタンド取付板１２ｇの取付方向が異なる点である。スタンド取付板付端末装置１０１においては、回転軸ボルト６０ｉを回動中心としてスタンド取付板付端末装置１０１の長手方向に回動するようにスタンド取付板１２ｇが取付られているのに対して、スタンド取付板付端末装置１０２においては、回転軸ボルト６０ｉを回動中心としてスタンド取付板付端末装置１０１の短手方向に回動するようにスタンド取付板１２ｇが取付られている。
【００３８】
第２の実施形態では、第１の実施形態と同様のスタンド６０を備える。スタンド６０は、吸盤ホルダ６０ａ、引き棒格納部６０ｂ、端末取付板６０ｃ、レバー取付部６０ｄ、引き棒６０ｅ、圧縮コイルバネ６０ｆ、吸盤６０ｇ、回転軸ボルト６０ｉ、回転軸ナット６０ｊ、レバー回転軸６０ｋ、レバー６０ｍ、レバービス６０ｎを有している。第２の実施形態における上述した各部の構成は、第１の実施形態と同様であるので説明は省略する。なお、図４ないし図９においては、スタンド６０を構成する各部のすべてが図面に記載されておらず、第１の実施形態に記載された各部の一部の記載が省略されている。
【００３９】
図４は、第２の実施形態のスタンド付端末装置１０ｂを固定対象物７０に取付前の斜視図である。
【００４０】
図４においては、スタンド付端末装置１０ｂのスタンド６０のレバー６０ｍが押し上げられているので、レバー６０ｍの突起の底部６０ｍｔが吸盤ホルダ６０ａと接している。吸盤６０ｇと、固定対象物７０との間に吸引力は働かず、スタンド６０は固定対象物７０に固着されない。また、スタンド６０が固定対象物７０に固着されている場合には、図４に示すようにレバー６０ｍを押し上げ、吸盤６０ｇと固定対象物７０との固着を解除できる。
【００４１】
図５は、第２の実施形態のスタンド付端末装置１０ｂを固定対象物７０に取付前の断面図である。
【００４２】
図５に示すレバー６０ｍの押し上の状態においては、レバー６０ｍの突起の底部６０ｍｔ（図４を参照）が吸盤ホルダ６０ａと接しており、レバー６０ｍの突起の先端６０ｍｓ（図４を参照）が吸盤ホルダ６０ａと接しておらず、レバー回転軸６０ｋは固定対象物７０に近い位置にある。レバー回転軸６０ｋの位置の変化に応じ引き棒６０ｅを介して変化する吸盤６０ｇの中心部の位置は、固定対象物７０にほぼ接し、吸盤６０ｇと固定対象物７０との間に真空の空間はない。よって、吸盤６０ｇと、固定対象物７０との間に吸引力は働かず、スタンド６０は固定対象物７０に固着されない。また、スタンド６０が固定対象物７０に固着されている場合には、レバー６０ｍを押し上げ、吸盤６０ｇと固定対象物７０との間の真空の空間をなくし固着を解除できる。
【００４３】
図６は、第２の実施形態のスタンド付端末装置１０ｂを固定対象物７０に取付後の斜視図である。
【００４４】
図６においては、スタンド付端末装置１０ｂのスタンド６０のレバー６０ｍが押し下げられているので、レバー６０ｍの突起の先端６０ｍｓが吸盤ホルダ６０ａと接している。吸盤６０ｇと、固定対象物７０との間に吸引力が働き、スタンド６０は固定対象物７０に固着されている。また、スタンド６０が固定対象物７０に固着されていない場合には、レバー６０ｍを押し下げ、吸盤６０ｇと固定対象物７０とを固着することができる。
【００４５】
図７は、第２の実施形態のスタンド付端末装置１０ｂを固定対象物７０に取付後の断面図である。
【００４６】
図７は、吸盤６０ｇと、固定対象物７０との間に吸引力が働く状態を示す図である。図７に示すレバー６０ｍの押し下げの状態においては、レバー６０ｍの突起の先端６０ｍｓ（図６を参照）が吸盤ホルダ６０ａと接しており、レバー６０ｍの突起の底部６０ｍｔ（図６を参照）が吸盤ホルダ６０ａと接しておらず、レバー回転軸６０ｋは固定対象物７０から遠い位置にある。レバー回転軸６０ｋの位置の変化に応じ引き棒６０ｅを介して変化する吸盤６０ｇの中心部の位置は、固定対象物７０から離れており、吸盤６０ｇと固定対象物７０との間に真空の空間６０ｑが形成されている。よって、吸盤６０ｇと、固定対象物７０との間に吸引力が働き、スタンド６０は固定対象物７０に固着される。また、スタンド６０が固定対象物７０に固着されていない場合には、レバー６０ｍを押し下げ、吸盤６０ｇと固定対象物７０との間に真空の空間６０ｑを形成して固着することができる。
【００４７】
図８は、スタンド取付板付端末装置１０２のスタンド取付板１２ｇのセレーションとスタンド６０の端末取付板６０ｃのセレーションとを示す図である。
【００４８】
スタンド取付板付端末装置１０２のスタンド取付板１２ｇのセレーションとスタンド６０の端末取付板６０ｃのセレーションとについては、既に上述したが、図８を参照して詳述する。
【００４９】
図８（ａ）は、スタンド取付板１２ｇのセレーションを示す図である。スタンド取付板１２ｇが端末取付板６０ｃと接する面としては、スタンド取付板接触面１２ｇｓａとスタンド取付板接触面１２ｇｓｂとの２面が設けられる。スタンド取付板接触面１２ｇｓａおよびスタンド取付板接触面１２ｇｓｂはセレーションが形成される面である。
【００５０】
図８（ｂ）、図８（ｃ）は、スタンド６０の端末取付板６０ｃのセレーションを示す図である。端末取付板６０ｃがスタンド取付板１２ｇと接する面としては、端末取付板接触面６０ｃｓと端末取付板接触面６０ｃｎとの２面が設けられる。図８（ｂ）に表される端末取付板接触面６０ｃｓはセレーションが成型される面である。図８（ｃ）に表される端末取付板接触面６０ｃｎはセレーションが形成されない平面である。
【００５１】
スタンド６０には、片方にしかセレーションをつけていない。このことによって、スタンド取付板付端末装置１０２の上下方向を反転してスタンドに取付が可能とされる。すなわち、スタンド取付板接触面１２ｇｓａと端末取付板接触面６０ｃｓとが噛み合う場合（図８（ｂ）を参照）と、スタンド取付板接触面１２ｇｓｂと端末取付板接触面６０ｃｓとが噛み合う場合（図８（ｃ）を参照）とがあり、スタンド取付板付端末装置１０２の上下を反転して取り付けることが可能となる。このようにすれば、回転軸ボルト６０ｉと回転軸ナット６０ｊとを締め付けた場合においてスタンド取付板１２ｇが端末取付板６０ｃと接する面の一方しかセレーションが噛み合うことはない。そして、セレーションの凹凸は所望のように噛み合い、セレーションの凸の部分が押しつぶされることが避けられる。一方、回転軸ボルト６０ｉと回転軸ナット６０ｊとを締め付けた場合において、スタンド取付板１２ｇが端末取付板６０ｃと接する面の両方にセレーションがある場合には、セレーションの凹凸は所望するようには噛み合わず、セレーションの凸の部分どうしがぶつかり、セレーションが押しつぶされることがあり得る。
【００５２】
また、スタンド取付板接触面１２ｇｓａとスタンド取付板接触面１２ｇｓｂとの２面の各々の放射状に伸びるセレーションの放射の中心部にセレーションより０．３mm（ミリ・メータ）くらい張り出た凸形状のフラット部（受面）が設けられる。一方、端末取付板接触面６０ｃｓの放射状に伸びるセレーションの放射の中心部にセレーションより０．３mmくらい窪んだ凹形状のフラット部（受面）が設けられ、端末取付板接触面６０ｃｎの中心部に周囲より０．３mmくらい窪んだ凹形状のフラット部（受面）が設けられる。この凸形状のフラット部（受面）と凹形状のフラット部（受面）とをはめ合わせることによって容易に、噛み合う対面する２つのセレーションの中心位置を合せることができる。
【００５３】
図９は、第２の実施形態のスタンド付端末装置１０ｂを固定対象物７０に下向きに取付後の断面図である。
【００５４】
図９は、図７が上向きに取付であるのに対して、下向き取付とした断面図である。図７に示す配置におけるスタンド取付板付端末装置１０２とスタンド６０との連結をそのままにして、図９に示すような配置とすると、ディスプレイ１３に表示される画面が逆向きになってしまう。そこで、スタンド取付板１２ｇの一方の面と接する端末取付板６０ｃの一方の面を入れ替え、スタンド取付板１２ｇの一方の面が端末取付板６０ｃの他方の面と接するようにしてディスプレイ１３に表示される画面を正しい向きにすることができる。
【００５５】
なお、上述したように、スタンド取付板１２ｇの端末取付板６０ｃと接する両方の面にセレーションを設け、端末取付板６０ｃのスタンド取付板１２ｇと接する一方の面にのみセレーションを設けるようにしてもよいが、端末取付板６０ｃのスタンド取付板１２ｇと接する両方の面にセレーションを設け、スタンド取付板１２ｇの端末取付板６０ｃと接する一方の面にのみセレーションを設けるようにしてもよい。
【００５６】
（実施形態のスタンド付端末装置の回路構成）
実施形態のスタンド付端末装置１０ａ、スタンド付端末装置１０ｂの回路構成について簡単に説明をする。
【００５７】
図１０は、スタンド付端末装置１０ａ、スタンド付端末装置１０ｂの内部に配される回路部のブロック図である。図１０を参照して回路部について以下説明をする。
【００５８】
マイクロプロセッサ (MPU:Micro-Processing Unit）２１としてはARM11プロセッサ・ファミリを用いる。MPU２１には、アンドロイドのオペレーティングシステム、ミドルウエア、各種アプリケーションがインストールされる。MPU２１はスタンド付端末装置１０ａ、スタンド付端末装置１０ｂの中心となる部分である。
【００５９】
MPU２１には、ディスプレイ(Display)１３、スピーカ(Speaker)１４、カメラ(Camera)１５、マイク(Microphone)１６、無線ラン(WLAN)２２、運動センサ(Motion Sensor)２３、エヌエフシー記録再生部(NFC R/W:Near Field Communication R/W)２４、スリージーチップ(3rd. Generation chip)２５の各々が接続される。これらの各々は、アンドロイドによって制御される。
【００６０】
ディスプレイ１３は、４．３インチの液晶(LCD/4.3inch)１３ａとタッチスクリーン(Touch Screen)１３ｂとの組合せを用いる。スタンド付端末装置１０ａ、スタンド付端末装置１０ｂの操作者は、液晶１３ａの表示を見ながらタッチスクリーン１３ｂに触れ、MPU２１はどの位置に触れたかを判別する。
【００６１】
運動センサ２３は、加速度センサ、GPS(Global Positioning System)で構成される。スリージーチップ２５は、第三世代と呼ばれる携帯電話回線に対応する半導体チップである。
【００６２】
エヌエフシー記録再生部２４は、数cmの至近距離で、カード４０との間でデータ通信を行なう。カード４０としては、フェリカ(Felica)（登録商標）、マイフェア（Ｍｉｆare）（登録商標）を用いる。カード４０をスタンド付端末装置１０ａ、スタンド付端末装置１０ｂに着装した状態において、カード４０に配された半導体チップ（図示せず）が、エヌエフシー記録再生部２４に近接する。このようにして、MPU２１はカード４０の半導体チップに情報を記録し、半導体チップからの情報を再生して取得することができる。すなわち、カード４０をスタンド付端末装置１０ａ、スタンド付端末装置１０ｂのカード挿入穴２７（図１を参照）に挿入した状態において、ディスプレイ１３に表示される画像を視認しながら、カード４０の半導体チップに対して、エヌエフシー記録再生部２４を介して読み書きが可能となる。
【００６３】
表１に実施形態のスタンド付端末装置１０ａ、スタンド付端末装置１０ｂの回路部の仕様をまとめる。
【００６４】
【表１】
2014099068.tif 000003
【００６５】
ここで、アンドロイドとは、スマートフォン（高機能携帯電話）やタブレット（多機能携帯端末）などの携帯情報端末を主なるターゲットとして開発されたプラットフォームであり、リナックス(登録商標)をベースとするオープンソース・オペレーティングシステム、ミドルウエア、各種アプリケーションから構成されるソフトウエア集合パッケージである。アンドロイドは、多くのスマートフォンに使用されている。スタンド付端末装置１０ａ、スタンド付端末装置１０ｂでは、既に開発がなされた、アンドロイドのオープンソース・オペレーティングシステム、ミドルウエア、各種アプリケーションを有効に利用して早期の開発を可能とするとともに、スマートフォンの普及によって大量生産され安価となった、アンドロイドを実行するマイクロプロセッサ、このマイクロプロセッサに接続される各種ＩＣ等のハードウエアを利用して製造コストの低減化を図ることができる。
【００６６】
（実施形態のスタンド付端末装置の特徴）
実施形態の端末装置の特徴を要約すると以下である。
【００６７】
実施形態のスタンド付端末装置は、スタンド取付板１２ｇを有するスタンド取付板付端末装置１０１、１０２と、スタンド取付板１２ｇに結合されるスタンド６０とを備え、スタンド６０は、吸盤ホルダ６０ａと、吸盤ホルダ６０ａに固着され、スタンド取付板１２ｇと連結するための端末取付板６０ｃと、吸盤ホルダ６０ａの内部で変形可能な吸盤６０ｇと、吸盤６０ｇを吸盤ホルダ６０ａの内部に引き込み、該吸盤６０ｇと固定対象物７０との間に真空の空間を形成するか否かを制御するためのレバー６０ｍとを具備する。
【００６８】
また、スタンド付端末装置は、レバー６０ｍに配され底部６０ｍｔと先端６０ｍｓとを含む突起と、突起を回動可能とするレバー回転軸６０ｋと、レバー回転軸６０ｋと吸盤６０ｇの中心部とを連結する引き棒６０ｅとを有し、レバー６０ｍの先端６０ｍｓと吸盤ホルダ６０ａとが接触するときに吸盤６０ｇの中心部を固定対象物７０から遠くし該吸盤６０ｇと該固定対象物７０との間に真空の空間を形成し、レバー６０ｍの底部６０ｍｔと吸盤ホルダ６０ａとが接触するときに吸盤６０ｇの中心部を固定対象物７０に近くし該吸盤６０ｇと該固定対象物７０との間に真空の空間を形成しないようにしてもよい。
【００６９】
また、スタンド付端末装置は、引き棒６０ｅと吸盤ホルダ６０ａとの間に配され、該引き棒に付勢する圧縮コイルバネ６０ｆを有するようにしてもよい。
【００７０】
また、スタンド付端末装置は、端末取付板６０ｃは、スタンド取付板１２ｇの２つの面の各々に接触する２つの面を有し、端末取付板６０ｃの２つの面の各々にはセレーションが形成されるようにしてもよい。
【００７１】
また、スタンド付端末装置は、吸盤ホルダ６０ａにレバー６０ｍがビスによって固着されるようにしてもよい。
【００７２】
また、スタンド付端末装置は、アンドロイドを実行するマイクロプロセッサ２１と、マイクロプロセッサ２１に接続されるディスプレイ１３と、マイクロプロセッサ２１を内蔵し、ディスプレイの画像表示面が視認可能となるように該ディスプレイを保持する筐体１１、１２と、マイクロプロセッサ２１に接続され筐体の外部に引き出される入出力信号線３０、３１とを有するようにしてもよい。
【００７３】
また、実施形態の端末装置用スタンドは、吸盤ホルダ６０ａと、吸盤ホルダ６０ａに固着され、端末装置と連結するための端末取付板６０ｃと、吸盤ホルダ６０ａの内部で変形可能な吸盤６０ｇと、吸盤６０ｇを吸盤ホルダ６０ａの内部に引き込み、該吸盤６０ｇと固定対象物７０との間に真空の空間を形成するか否かを制御するためのレバー６０ｍとを備える。
【００７４】
また、実施形態の端末装置用スタンドは、レバー６０ｍに配され底部６０ｍｔと先端６０ｍｓとを含む突起と、突起を回動可能とするレバー回転軸６０ｋと、レバー回転軸６０ｋと吸盤６０ｇの中心部とを連結する引き棒６０ｅとを有し、レバー６０ｍの先端６０ｍｓと吸盤ホルダ６０ａとが接触するときに吸盤６０ｇの中心部を固定対象物７０から遠くし該吸盤６０ｇと該固定対象物７０との間に真空の空間を形成し、レバー６０ｍの底部６０ｍｔと吸盤ホルダ６０ａとが接触するときに吸盤６０ｇの中心部を固定対象物７０に近くし該吸盤６０ｇと該固定対象物７０との間に真空の空間を形成しないようにしてもよい。
【００７５】
また、スタンド取付板１２ｇの端末取付板６０ｃと接する両方の面にセレーションが形成され、端末取付板６０ｃのスタンド取付板１２ｇと接する一方の面にのみセレーションが形成されるようにしてもよい。また、端末取付板６０ｃのスタンド取付板１２ｇと接する両方の面にセレーションが形成され、スタンド取付板１２ｇの端末取付板６０ｃと接する一方の面にのみセレーションが形成されるようにしてもよい。
【符号の説明】
【００７６】
１０ａ、１０ｂ  スタンド付端末装置、  １２ａ  裏面筐体枠、  １２ｂ  裏面覆蓋、  １２ｇ  スタンド取付板、  １２ｇｓａ、１２ｇｓｂ  スタンド取付板接触面、  １３  ディスプレイ、  １３ａ  液晶、  １３ｂ  タッチスクリーン、  ２１  マイクロプロセッサ、  ２３  運動センサ、  ２４  エヌエフシー記録再生部、  ２５  スリージーチップ、  ２７  カード挿入穴、  ４０  カード、  ６０  スタンド、  ６０ａ  吸盤ホルダ、  ６０ｂ  棒格納部、  ６０ｃ  端末取付板、  ６０ｃｎ、６０ｃｓ  端末取付板接触面、  ６０ｄ  レバー取付部、  ６０ｅ  引き棒、  ６０ｆ  圧縮コイルバネ、  ６０ｇ  吸盤、  ６０ｉ  回転軸ボルト、  ６０ｊ  回転軸ナット、  ６０ｋ  レバー回転軸、  ６０ｍ  レバー、  ６０ｍｓ  （レバーの）先端、  ６０ｍｔ  （レバーの）底部、  ６０ｎ  レバービス、  ６０ｑ  真空の空間、  ７０  固定対象物、  １０１  スタンド取付板付端末装置、  １０２  スタンド取付板付端末装置
【図１】
2014099068.tif 000004
【図２】
2014099068.tif 000005
【図３】
2014099068.tif 000006
【図４】
2014099068.tif 000007
【図５】
2014099068.tif 000008
【図６】
2014099068.tif 000009
【図７】
2014099068.tif 000010
【図８】
2014099068.tif 000011
【図９】
2014099068.tif 000012
【図１０】
2014099068.tif 000013